(57)【要約】【課題】  簡単な構造で、洗浄液を汚水から分離回収して汚水に洗浄液がほとんど混入できないようにし、全体の排出量を少なくするとともに洗浄液の補充頻度を大幅に低減した。【解決手段】  洗浄液Ｌを汚水Ｆよりも比重が大きく相分離可能な流体で構成し、便器１０の排出口１１に連通する容器２０と、容器２０の内部に容器２０の上部に上開口４１が位置し容器２０外部に下開口４２が位置するように容器２０の下部を貫通して設けられ容器２０内で洗浄液Ｌと分離して浮上した汚水Ｆを上開口４１に流入させて下開口４２から流出させる排出管路部４０と、容器２０内で汚水Ｆと分離して沈下した洗浄液Ｌを吸引して回収するポンプ６０と、ポンプ６０で回収した洗浄液Ｌを便器１０に流す送給部６５とを備えた。【選択図】  図１
2005188162.tif 000002
【特許請求の範囲】
【請求項１】
小便等の汚水を受けるとともに洗浄液が流される便器を備え、該便器内に入った汚水及び洗浄液を該便器の下部に設けた排出口から排出するとともに、排出された洗浄液を回収して再利用する小便器装置において、
上記洗浄液を汚水よりも比重が大きく相分離可能な流体で構成し、
上記便器の排出口に連通される入口を上部に有した容器と、該容器の内部に該容器の上部に上開口が位置し該容器外部に下開口が位置するように該容器の下部を貫通して設けられ該容器内で洗浄液と分離して浮上した汚水を上記上開口に流入させて上記下開口から流出させる排出管路部と、上記容器内で汚水と分離して沈下した洗浄液を吸引して回収するポンプと、該ポンプで回収した洗浄液を上記便器に流す送給部とを備えたことを特徴とする小便器装置。
【請求項２】
上記容器内に、一端から他端に向けて拡開するとともに該一端が上記容器の上部側に位置し該他端が上記容器の内側面近傍に位置し上記便器の排出口からの汚水及び洗浄液を受ける傘状のトラップを備え、
該トラップの他端側に該トラップの外部から内部に連通する連通路を形成するとともに、
上記トラップの内部であって上記連通路よりも高い位置に上記排出管路部の上開口を位置させたことを特徴とする請求項１記載の小便器装置。
【請求項３】
上記容器及び排出管路部を円筒状に形成し、該容器及び排出管路部をこれらの各軸線を同軸にして配置したことを特徴とする請求項１または２記載の小便器装置。
【請求項４】
上記容器の下部に設けられ該容器の下部に溜まり上記汚水から分離して沈下した洗浄液が流入可能な一端開口及び上記容器の外部に設けられ上記一端開口よりも高い位置に位置する他端開口を有した洗浄液排出路と、該洗浄液排出路の他端開口から流出した洗浄液が溜められる洗浄液貯留槽とを備え、
上記洗浄液貯留槽に溜まった洗浄液を上記ポンプで吸引して回収することを特徴とする請求項１，２または３記載の小便器装置。
【請求項５】
上記洗浄液貯留槽を、上記容器の下方に設け、該洗浄液貯留槽に上記排出管路部を貫通させるとともに該排出管路部の下開口を上記洗浄液貯留槽よりも下方に位置させ、
上記排出管路部の上記洗浄液貯留槽内上面近傍に、上記洗浄液排出路から流出した洗浄液に混じって該洗浄液貯留槽に流入するとともに該洗浄液貯留槽の洗浄液と分離して浮上した汚水が排出される中開口を設けたことを特徴とする請求項４記載の小便器装置。
【請求項６】
上記容器の下部に、該容器内の汚水及び洗浄液を洗浄液貯留槽側に排出する排出ドレンと、該排出ドレンを閉塞するプラグとを備えたことを特徴とする請求項５記載の小便器装置。
【請求項７】
上記容器，排出管路部及び洗浄液貯留槽を円筒状に形成し、該容器，排出管路部及び洗浄液貯留槽をこれらの各軸線を同軸にして配置したことを特徴とする請求項４，５または６記載の小便器装置。
【請求項８】
上記容器を、上面側の大径部と該大径部に段部を介して連通する小径部とを備えて構成し、
上記小径部を上記洗浄液貯留槽に挿通し、該洗浄液貯留槽の開口を上記段部に着脱可能に取り付け、
上記洗浄液排出路の他端開口側を上記小径部の外側面と上記洗浄液貯留槽の内側面との間に位置させたことを特徴とする請求項７記載の小便器装置。
【請求項９】
上記洗浄液排出路を、上記容器の底面に設けられる一端開口及び該容器の外部に位置する他端開口を有したＵ字管で構成したことを特徴とする請求項４，５，６，７または８記載の小便器装置。
【請求項１０】
上記排出管路部を、互いに着脱可能に接続され上記容器側の上排出パイプと、上記洗浄液貯留槽側の下排出パイプとから構成したことを特徴とする請求項５，６，７，８または９記載の小便器装置。
【請求項１１】
上記容器内に、汚水よりも比重が小さく相分離可能な臭気遮断用の遮断液を入れたことを特徴とする請求項１，２，３，４，５，６，７，８，９または１０記載の小便器装置。
【発明の詳細な説明】
【技術分野】
【０００１】
本発明は、小便等の汚水を受ける便器に洗浄液を流すとともに、流された洗浄液を回収して再利用する小便器装置に関する。
【背景技術】
【０００２】
従来、この種の小便器装置としては、例えば、特許文献１（特開平７−２１６９５８号公報）に記載されたものが知られている。
図１２に示すように、この小便器装置Ｓａは、小便等の汚水を受けるとともに洗浄水が流される便器１を備えており、この便器１内に入った汚水及び洗浄水は便器１の下部に設けられた排出口１ａから排出される。この排出口１ａには、一方側２ａ，他方側２ｂの開閉を選択して切替え可能な３方向切替弁２が接続されている。切替弁２の一方側２ａには汚水タンク３が、他方側２ｂには洗浄水タンク４が接続されている。
【０００３】
また、この小便器装置Ｓａには、便器１に洗浄水を流入させるポンプ４ａと、便器１の使用者を検知する検知センサ６と、この検知センサ６の検知に基づいて切替弁２及びポンプ４ａの動作を制御する制御手段７とを備えている。
この制御手段７は、常時は、切替弁２に一方側２ａ及び他方側２ｂの両方を閉塞させて待機させる。そして、検知センサ６が便器１の使用者を検知すると、制御手段７は、切替弁２に他方側２ｂのみを閉塞させ一方側２ａを開放させて排出口１ａと汚水タンク３とを連通させ、便器１に注がれる汚水を汚水タンク３に流入させる。
【０００４】
次に、この使用者が立ち去って検知センサ６が使用者を検知しなくなると、制御手段７は、ポンプ４ａを作動させて洗浄水タンク４の洗浄水を２０００ｃｃ便器１に流させる。この際、洗浄水は便器１に残った汚水と混じり汚水の濃度が濃い洗浄水は汚水タンク３に流入していく。そして、制御手段７は、ポンプ４ａが作動してから洗浄水が２００ｃｃ（流す洗浄水の１０％）汚水タンク３に流入すると、切替弁２に一方側２ａのみを閉塞させ他方側２ｂを開放させて排出口１ａと洗浄水タンク４とを連通させる。この際、残りの１８００ｃｃの洗浄水は、便器１に残った僅かな汚水と混じり、汚水の濃度が薄い洗浄水が洗浄水タンク４に流入していく。そして、制御手段７は、ポンプ４ａが２０００ｃｃの洗浄水を流し終えると、再び切替弁２に一方側２ａ及び他方側２ｂの両方を閉塞させて次の便器１の使用者が来るまで待機させる。この状態では、一方側２ａ及び他方側２ｂの両方が閉塞しているので汚水タンク３からの臭気は遮られる。
尚、洗浄水タンク４には、洗浄水が減った分は、洗浄水供給部（図示せず）から新たな洗浄水が供給される。また、洗浄水タンク４には、活性炭などを有した浄化装置が内蔵されている。
【０００５】
【特許文献１】特開平７−２１６９５８号公報
【発明の開示】
【発明が解決しようとする課題】
【０００６】
ところで、このような上記従来の小便器装置Ｓａにあっては、洗浄初期の汚染された１０％程度の洗浄水は使用毎に汚水として汚水タンク３に捨てられるので、その分、洗浄水が無駄になるとともに、この、洗浄水の分だけ汚水の排出量が多くなってしまうという問題があった。
また、この汚水タンク３に流入して消費された洗浄水の分を、洗浄水タンク４に補充するが、上記のように汚水タンク３に捨てられる洗浄水の量は１０％程度と極めて多いので、それだけ補充頻度が多くなり、補充のための装置を別途設ける等、装置が複雑になったり、管理が煩雑になったりする等の問題もあった。
【０００７】
本発明は上記の問題点に鑑みて為されたもので、簡単な構造で、洗浄液を汚水から分離回収して汚水に洗浄液がほとんど混入できないようにし、全体の排出量を少なくするとともに洗浄液の補充頻度を大幅に低減した小便器装置を提供することを目的とする。
【課題を解決するための手段】
【０００８】
このような目的を達成するための本発明の小便器装置は、小便等の汚水を受けるとともに洗浄液が流される便器を備え、該便器内に入った汚水及び洗浄液を該便器の下部に設けた排出口から排出するとともに、排出された洗浄液を回収して再利用する小便器装置において、上記洗浄液を汚水よりも比重が大きく相分離可能な流体で構成し、上記便器の排出口に連通される入口を上部に有した容器と、該容器の内部に該容器の上部に上開口が位置し該容器外部に下開口が位置するように該容器の下部を貫通して設けられ該容器内で洗浄液と分離して浮上した汚水を上記上開口に流入させて上記下開口から流出させる排出管路部と、上記容器内で汚水と分離して沈下した洗浄液を吸引して回収するポンプと、該ポンプで回収した洗浄液を上記便器に流す送給部とを備えた構成としている。
【０００９】
これによれば、便器に汚水が流されると、汚水は、排出口から排出されて、容器の入口から容器内に流入していく。容器内においては、洗浄液は汚水よりも比重が大きいので、容器に流入した汚水は、洗浄液の上側に浮上し容器の上側に溜まっていき、汚水の液面が上昇すると排出管路部の上開口からこの浮上した汚水が排出されていく。
この排出過程前後あるいは排出過程中に、ポンプを作動させると洗浄液が吸引され、送給部を介して洗浄液が便器に流される。これにより、洗浄液の流下の勢いで便器が洗浄され、洗浄液は便器の排出口から排出されて、容器の入口から容器内に流入していく。容器内においては、洗浄液は汚水よりも比重が大きいので、容器に流入した洗浄液は汚水に対して相分離して沈下する。
この場合、洗浄液は汚水よりも比重が大きく相分離可能なので、容器内で洗浄液と汚水とがよく分離し、そのため、汚水に洗浄液がほとんど混入できないようになり、それだけ、従来に比較して、全体の排出量を少なくすることができる。また、この洗浄においては、洗浄液は、僅かには汚水に混ざって消費されるが、洗浄液の消費量は極めて少ないので、洗浄液の補充頻度は、従来に比較して大幅に低減し、管理効率が向上させられる。また、従来のように切替弁を逐一作動させることもなく、洗浄液を逐一補充する特別の機構もなくてもよいので、構造が簡単になり、汎用性が向上させられる。
【００１０】
また、必要に応じ、上記容器内に、一端から他端に向けて拡開するとともに該一端が上記容器の上部側に位置し該他端が上記容器の内側面近傍に位置する傘状のトラップを備え、該トラップの他端側に該トラップの外部から内部に連通する連通路を形成するとともに、上記トラップの内部であって上記連通路よりも高い位置に上記排出管路部の上開口を位置させている。
【００１１】
これにより、洗浄液及び汚水は、トラップの外側面を伝って連通路を通過し、洗浄液は容器の下に溜まる一方、汚水はこの洗浄液の上に溜まって排出管路部の上開口から排出される。この際、洗浄液及び汚水は、トラップに受けられるので、容器内の汚水及び洗浄液に激しく落下して攪拌される事態が防止され、そのため、洗浄液と汚水の分離が容易に行なわれる。また、トラップが無い場合には、洗浄液と汚水の混合物が、即座に上開口のある位置に至るので、十分に洗浄液と汚水が分離されずに洗浄液が汚水に混入した状態で上開口から排出されることがあるが、トラップを設けて上開口を連通路よりも高い位置に位置させたので、洗浄液及び汚水は混合された状態で連通路を通過しても、連通路から上開口までの距離分、洗浄液と汚水とが互いに分離する余裕ができ、それだけ、分離が確実になり、洗浄液が混入したまま上開口から汚水が排出される事態が防止される。
【００１２】
更に、必要に応じ、上記容器及び排出管路部を円筒状に形成し、該容器及び排出管路部をこれらの各軸線を同軸にして配置している。汚水や洗浄液の流入の片寄りが防止され、確実に汚水の排出を行なうことができる。
【００１３】
更にまた、必要に応じ、上記容器の下部に設けられ該容器の下部に溜まり上記汚水から分離して沈下した洗浄液が流入可能な一端開口及び上記容器の外部に設けられ上記一端開口よりも高い位置に位置する他端開口を有した洗浄液排出路と、該洗浄液排出路の他端開口から流出した洗浄液が溜められる洗浄液貯留槽とを備え、上記洗浄液貯留槽に溜まった洗浄液を上記ポンプで吸引して回収している。
【００１４】
これによれば、容器内の底部に溜まった洗浄液は、洗浄液排出路を介して洗浄液貯留槽に溜められていく。この際、洗浄液は非親水性で汚水よりも比重が大きいので、容器に流入した洗浄液は汚水がほとんど混入することなく洗浄液排出路の一端開口から洗浄液排出路に流入し他端開口から流出して洗浄液貯留槽に溜まっていく。そして、この洗浄液貯留槽の洗浄液は、ポンプの作動により吸引されて循環させられる。
この際、洗浄液排出路により洗浄液の増分のみが容器から洗浄液貯留槽に流出していき、容器内の洗浄液を直接ポンプで吸引する場合と比較して、容器内の洗浄液の量が安定化させられるので、ポンプの吸引により容器内において洗浄液及び汚水の液位が激しく上下することが防止され、汚水の増分を安定して排出管路部の上開口から排出させることができる。
【００１５】
そしてまた、必要に応じ、上記洗浄液貯留槽を、上記容器の下方に設け、該洗浄液貯留槽に上記排出管路部を貫通させるとともに該排出管路部の下開口を上記洗浄液貯留槽よりも下方に位置させ、上記排出管路部に設けられ上記洗浄液貯留槽内上面近傍に上記洗浄液排出路から流出した洗浄液に混じって該洗浄液貯留槽に流入するとともに該洗浄液貯留槽の洗浄液と分離して浮上した汚水が排出される中開口を設けている。
【００１６】
ポンプの作動が終わり洗浄液貯留槽に循環した洗浄液が再び溜まっていくと、洗浄液貯留槽においては、洗浄液の液面が中開口付近に位置する。この際、洗浄液排出路から流入した洗浄液に混入したわずかな汚水は洗浄液貯留槽に溜まった洗浄液上に浮上してくるが、この浮上した汚水は排出管路部の中開口から排出されていく。そのため、汚水が洗浄液にわずかに混入して洗浄液貯留槽に流入しても、洗浄液貯留槽においても汚水と洗浄液の分離を行なうことができるので、上記容器での分離とあいまって２重に汚水を排出させることになり、洗浄液への汚水の混入を確実に防ぐことができる。
【００１７】
また、必要に応じ、上記容器の下部に、該容器内の汚水及び洗浄液を洗浄液貯留槽側に排出する排出ドレンと、該排出ドレンを閉塞するプラグとを備えている。
容器内の掃除の際等には、排出ドレンのプラグを取り外して行なう。この場合、まず、容器内に残っている洗浄液が洗浄液貯留槽に落下するとともに、容器内に残った汚水，掃除の際に使用する水や水溶性の洗剤が洗浄液貯留槽に流入する。この場合、洗浄液貯留槽に流入した汚水，水，水溶性の洗剤は中開口から排出され、洗浄液は洗浄液貯留槽に溜まる。そのため、洗浄液をほとんど排出管路部に排出させることなく容器内の掃除を行なうことができる。
【００１８】
また、必要に応じ、上記容器，排出管路部及び洗浄液貯留槽を円筒状に形成し、該容器，排出管路部及び洗浄液貯留槽をこれらの各軸線を同軸にして配置している。汚水や洗浄液の流入の片寄りが防止され、確実に汚水の排出を行なうことができる。
【００１９】
更に、必要に応じ、上記容器を、上面側の大径部と該大径部に段部を介して連通する小径部とを備えて構成し、上記小径部を上記洗浄液貯留槽に挿通し、該洗浄液貯留槽の開口を上記段部に着脱可能に取り付け、上記洗浄液排出路の他端開口側を上記小径部の外側面と上記洗浄液貯留槽の内側面との間に位置させている。
洗浄液排出路の収納スペースを確保できるので装置をコンパクトにできる。
【００２０】
また、必要に応じ、上記洗浄液排出路を、上記容器の底面に設けられる一端開口及び該容器の外部に位置する他端開口を有したＵ字管で構成している。長さ調整により他端開口の位置を容易に調整できる。
【００２１】
そしてまた、必要に応じ、上記排出管路部を、互いに着脱可能に接続され上記容器側の上排出パイプと、上記洗浄液貯留槽側の下排出パイプとから構成している。
容器内の掃除の際に上排出パイプを取り外せば、容器内の汚水等を排出管路部を介して排出することができ容易に容器内を掃除できる。
【００２２】
また、必要に応じ、上記トラップの外側に、汚水よりも比重が小さく相分離可能な臭気遮断用の遮断液を入れている。
容器内においては、遮断液は汚水よりも比重が小さいので、汚水の上に浮いて臭気止めを行なう。そのため、汚水の臭気が便器の周囲に漏れ出すのを防ぐことができる。
【発明の効果】
【００２３】
本発明の小便器装置によれば、洗浄液をポンプで回収して循環させることができ、簡単な構造にすることができるとともに、洗浄液を汚水よりも比重が大きく相分離可能な流体で構成したので、容器内で洗浄液と汚水とを分離でき、汚水に洗浄液がほとんど混入できないようにでき、汚水の排出量を少なくできる。また、汚水に洗浄液がほとんど混じらないようにして汚水と洗浄液とを分離できるので、洗浄液の補充頻度を低減することができ、補充分の洗浄液を多く貯えなくてもよくなり、管理効率を向上させることができる。また、洗浄液を逐一補充する特別の機構もなくてもよいので、構造が簡単になり、汎用性を向上させることができる。
【発明を実施するための最良の形態】
【００２４】
以下、添付図面に基づいて、本発明の実施の形態に係る小便器装置について詳細に説明する。
【００２５】
図１乃至図６には、小便器装置Ｓを示している。この小便器装置Ｓは、小便等の汚水Ｆを受けるとともに洗浄液Ｌが流される便器１０を備え、この便器１０内に入った汚水Ｆ及び洗浄液Ｌを便器１０の下部に設けた排出口１１から排出するとともに、排出された洗浄液Ｌを回収して再利用するものである。
【００２６】
詳しくは、この小便器装置Ｓにおいて、洗浄液Ｌは、水や汚水Ｆよりも比重が大きく相分離可能な流体で構成されている。具体的には、例えば、水や汚水Ｆよりも比重の大きい非親水性（非親和性）の流体であるフッ素不活性液体で構成されている。
【００２７】
また、図１乃至図４に示すように、この小便器装置Ｓは、便器１０の排出口１１に連通される入口２１を上部に有した容器２０と、容器２０の下部に設けられ容器２０の底部に溜まり汚水Ｆから分離して沈下した洗浄液Ｌが流入可能な一端開口３１及び容器２０の外部に設けられ一端開口３１よりも高い位置に位置する他端開口３２を有した洗浄液排出路３０としてのＵ字管３０ａと、このＵ字管３０ａの他端開口３２から流出した洗浄液Ｌが溜められるとともに容器２０の下方に設けられる洗浄液貯留槽３５と、容器２０の内部の上部に上開口４１が位置し容器２０外部に下開口４２が位置するように容器２０の下部を貫通して設けられ容器２０内で洗浄液Ｌと分離して浮上した汚水Ｆを上開口４１に流入させて下開口４２から流出させる排出管路部４０と、容器２０内に設けられ一端から他端に向けて拡開するとともにこの一端が容器２０の上部側に位置し他端が容器２０の内側面近傍に位置する傘状のトラップ５０とを備えている。
【００２８】
図２に示すように、容器２０，排出管路部４０及び洗浄液貯留槽３５は、夫々軸線Ｘ１，Ｘ２，Ｘ３を有した円筒状に形成され、容器２０，排出管路部４０及び洗浄液貯留槽３５をこれらの各軸線Ｘ１，Ｘ２，Ｘ３を同軸にして配置されている。
容器２０は、上面側の大径部２２と大径部２２に段部２７を介して連通し大径部２２よりも径の小さい小径部２３とを備えて構成されている。
また、図３に示すように、容器２０の底部には、容器２０の底面から下方に向けて突出される複数の突出管２４が設けられている（実施の形態では６個）。この突出管２４は、容器２０の軸線Ｘ１を中心とする円周上に、所定間隔で列設されている。また、この複数の突出管２４のうちいずれか一つは、容器２０内の汚水Ｆ及び洗浄液Ｌを洗浄液貯留槽３５側に排出する排出ドレン２５として形成されている。
この排出ドレン２５には、排出ドレン２５を閉塞するプラグ２６が設けられている。プラグ２６には、フックを引っかけてこのプラグ２６を排出ドレン２５から外すための孔２６ａが設けられている。
【００２９】
Ｕ字管３０ａは、複数設けられ（実施の形態では５個）、その一端開口３１を容器２０の底面に設けられる突出管２４に嵌合して容器２０の底面に接合されている。また、このＵ字管３０ａの、他端開口３２の一端開口３１に対する高さは、汚水Ｆと洗浄液Ｌの比によりその高さが決められている。
また、Ｕ字管３０ａの他端開口３２側は、小径部２３の外側面と洗浄液貯留槽３５の内側面との間に位置させられている。
洗浄液貯留槽３５には、容器２０の小径部２３が挿通されている。
また、洗浄液貯留槽３５の開口３６は、容器２０の段部２７に着脱可能に取り付けられている。洗浄液貯留槽３５の開口３６には、容器２０の段部２７に設けられるフランジ２８にボルト及びナットで締結されるフランジ３７が設けられている。
【００３０】
排出管路部４０は、洗浄液貯留槽３５を貫通して設けられ、互いに着脱可能に接続される容器２０側の上排出パイプ４３と、洗浄液貯留槽３５側の下排出パイプ４４とから構成されている。
上排出パイプ４３は、上端開口４５が便器１０に連通する一方、下端開口４９は容器２０に設けられる嵌合部２９に嵌合し、容器２０の上面から底面に亘って設けられている。
上排出パイプ４３の上端開口４５は、常時は蓋体４６で覆われて閉塞されている。
また、図２及び図４に示すように、上排出パイプ４３の上部には、排出管路部４０の上開口４１が上排出パイプ４３の外周に沿って複数列設されている。この上開口４１は、トラップ５０の内部であって後述のトラップ５０の連通路５１よりも高い位置に位置させられている。また、上排出パイプ４３の下部の嵌合部２９に嵌合される部分には、この上排出パイプ４３の外側面と容器２０とをシールするＯ−リング４７が設けられている。
【００３１】
下排出パイプ４４は、洗浄液貯留槽３５の上面から下面に亘って設けられている。
下排出パイプ４４には、洗浄液貯留槽３５内の上面近傍に備えられＵ字管３０ａから流出した洗浄液Ｌに混じって洗浄液貯留槽３５に流入するとともに洗浄液貯留槽３５の洗浄液Ｌと分離して浮上した汚水Ｆが排出される中開口４８が設けられている。この中開口４８は、下排出パイプ４４の外周に沿って複数列設されている。
排出管路部４０の下開口４２は、下水に連通している。
【００３２】
トラップ５０は、上排出パイプ４３に一体に設けられている。トラップ５０の他端側には、このトラップ５０の外部から内部に連通する連通路５１が形成されている。この連通路５１は、トラップ５０の他端縁と容器２０の内壁との隙間で構成されている。
また、容器２０の内部であってトラップ５０の外側には、汚水Ｆよりも比重が小さく相分離可能な臭気遮断用の遮断液５２が入れられている。
【００３３】
また、この小便器装置Ｓには、容器２０内で汚水Ｆと分離して沈下した洗浄液Ｌを吸引して回収するポンプ６０と、このポンプ６０で回収した洗浄液Ｌを便器１０に流す送給部６５とが備えられている。
このポンプ６０は、容器２０の下部に沈下して溜まり、Ｕ字管３０ａを洗浄液貯留槽３５に溜まった洗浄液Ｌを、洗浄液貯留槽３５の底部に設けられる回収管６１を介して吸引して回収している。
送給部６５は、ポンプ６０と便器１０の上部とを連通する送給管６６を備えて構成され、ポンプ６０が回収した洗浄液Ｌを便器１０に直接流すように構成されている。
【００３４】
更にまた、この小便器装置Ｓには、便器１０の使用者の存在の有無を検知する検知センサ７１と、この検知センサ７１の検知に基づいてポンプ６０を作動させる制御手段７０とが備えられている。小便器装置Ｓは、この制御手段７０により以下で説明する制御を行なう。
尚、図１中１２は、便器１０を流れてくるゴミ等の異物を受けるための網目状のメッシュである。
【００３５】
このように構成される小便器装置Ｓの使用に際しては、まず、予め、容器２０の内部に、洗浄液層と、汚水層と、遮断液層とを形成しておく。詳しくは、図５（ａ）に示すように、まず、容器２０に所定量の洗浄液Ｌを流入させて容器２０の底部に洗浄液層を形成するとともに、Ｕ字管３０ａからこの洗浄液Ｌを流出させて洗浄液貯留槽３５を洗浄液Ｌで満たす。この状態で、図５（ｂ）に示すように、汚水Ｆの代わりに水を入れ、容器２０の内部に汚水層を形成する。汚水Ｆとしての水が注がれると、洗浄液層の上に浮上して溜まるとともに、汚水層を形成して洗浄液層を押していく。この際、Ｕ字管３０ａの他端開口３２から洗浄液層の洗浄液Ｌが洗浄液貯留槽３５に随時流入していく。
このようにして、汚水層の液面が上開口４１に至るまで汚水Ｆとしての水を容器２０に注ぐ。上開口４１に至った汚水Ｆとしての水は、この上開口４１から順次、排出管路部４０を介して下水に流されていく。次に、図５（ｃ）に示すように、容器２０内のトラップ５０の外側に遮断液５２を所定量入れ、トラップ５０の外側の汚水層の上に遮断液層を形成する。
【００３６】
次に、本発明の実施の形態に係る小便器装置Ｓを使用する場合について説明する。図６（ａ）に示すように、常時は、容器２０内に、トラップ５０の外側に形成される遮断液層と、トラップ５０の外側において遮断液層の下側であってトラップ５０の内側の液面が上開口４１に位置する汚水層と、汚水層の下側の洗浄液層とが形成されている。また、洗浄液貯留槽３５内においては、中開口４８付近に洗浄液貯留槽３５の液面が位置させられている。
制御手段７０の制御に基づいて説明すると、図７に示すフローチャートを参照し、まず、制御手段７０は、小便器装置Ｓの電源が入れられて作動する（１−１）。この状態で、検知センサ７１を確認し（１−２）、使用者有を検知するまで検知センサ７１を確認し続けてそのままの状態で待機する（１−３Ｎ）。次に、検知センサ７１が使用者有を検知すると（１−３Ｙ）、ポンプ６０をＯＮにして回収管６１から洗浄液貯留槽３５内の洗浄液Ｌを汲み揚げさせて、送給管６６を介して便器１０の上部からこの汲み揚げた洗浄液Ｌを流させる（１−４）。
【００３７】
検知センサ７１が使用者が便器１０の前に立っているそのままの状態を検知し続けている場合（１−５）は、ポンプ６０をＯＮの状態にしておく（１−６Ｙ）。
便器１０に洗浄液Ｌが流されると、図６（ｂ）に示すように、洗浄液貯留槽３５の洗浄液Ｌが減る一方、便器１０から洗浄液Ｌが流下して、排出口１１から容器２０内に流入してくる。
容器２０に流入した洗浄液Ｌは、トラップ５０で受けられてその外側面を流れて連通路５１を通過する。そして、洗浄液Ｌは非親水性で汚水Ｆよりも比重が大きいので、容器２０に流入した洗浄液Ｌは汚水Ｆがほとんど混入することなくＵ字管３０ａの一端開口３１からＵ字管３０ａに流入し他端開口３２から洗浄液Ｌが流出して洗浄液貯留槽３５に溜まっていく。
この際、Ｕ字管３０ａが複数列設されているので、Ｕ字管３０ａの一端開口３１からの洗浄液Ｌの流入及びＵ字管３０ａの他端開口３２からの洗浄液Ｌの流出が十分に行なわれる。
【００３８】
次に、便器１０に汚水Ｆが流されると、図６（ｃ）に示すように、汚水Ｆは、排出口１１から排出されて、入口２１から洗浄液Ｌとともに容器２０に流入していく。この洗浄液Ｌ及び汚水Ｆは、トラップ５０の外側面を伝って連通路５１を通過する。
汚水Ｆは、遮断液５２よりも比重が大きくかつ洗浄液Ｌよりも比重が小さいので、遮断液層を通過していき、容器２０内の汚水層に至って、この汚水層と混ざる一方、洗浄液Ｌとは分離して洗浄液層の上に浮上する。洗浄液Ｌは上記した容器２０に流入する場合と同様に、容器２０の底部に汚水Ｆと分離して溜まって洗浄液層に混ざっていく。そして、容器２０内において、洗浄液層の上に溜まった汚水Ｆは、汚水層の液位の上昇により排出管路部４０の上開口４１から流出して下水に排出されていく一方、容器２０の底部に溜まった洗浄液Ｌは上記の洗浄液Ｌのみが流れた場合と同様に洗浄液貯留槽３５に流出していく。
【００３９】
この場合、排出管路部４０の上開口４１が、排出パイプの外周に沿って複数列設されているので、一時的に汚水Ｆが多く流入しても滞りなく排出させることができる。
また、この場合、洗浄液Ｌは非親水性で汚水Ｆよりも比重が大きいので、容器２０内で洗浄液Ｌと汚水Ｆとがよく分離し、そのため、汚水Ｆに洗浄液Ｌがほとんど混入できないようになり、それだけ、従来に比較して、汚水Ｆの排出量を少なくすることができる。また、洗浄液Ｌは、フッ素不活性液体なので、汚水Ｆとの相分離性に優れ、この点でも、汚水Ｆに洗浄液Ｌがほとんど混入できないようになり、汚水Ｆの排出量を少なくすることができる。
【００４０】
また、この際、洗浄液Ｌ及び汚水Ｆは、トラップ５０に受けられるので、容器２０内の汚水Ｆ及び洗浄液Ｌに激しく落下して攪拌される事態が防止され、そのため、洗浄液Ｌと汚水Ｆの分離が容易に行なわれる。また、トラップ５０が無い場合には、洗浄液Ｌと汚水Ｆの混合物が、即座に上開口４１のある位置に至るので、十分に洗浄液Ｌと汚水Ｆが分離されずに洗浄液Ｌが汚水Ｆに混入した状態で上開口４１から排出されることがあるが、トラップ５０を設けて上開口４１を連通路５１よりも高い位置に位置させたので、洗浄液Ｌ及び汚水Ｆは混合された状態で連通路５１を通過しても、連通路５１から上開口４１までの距離分、洗浄液Ｌと汚水Ｆとが互いに分離する余裕ができ、それだけ、分離が確実になり、洗浄液Ｌが混入したまま上開口４１から汚水Ｆが排出される事態が防止される。
【００４１】
そして、この間も、洗浄液貯留槽３５の洗浄液Ｌは、ポンプ６０の作動により、順次、回収管６１から吸引されて循環させられる一方、容器２０の底部に溜まった容器２０内の洗浄液Ｌは、Ｕ字管３０ａを介して洗浄液貯留槽３５に溜められていく。
この際、容器２０から直接ポンプ６０で洗浄液Ｌを吸引する場合と比較して、Ｕ字管３０ａにより洗浄液Ｌの増分のみが容器２０から洗浄液貯留槽３５に流出していき、容器２０内の洗浄液Ｌの量が安定化させられるので、ポンプ６０の吸引により容器２０内において容器２０内の洗浄液Ｌ及び汚水Ｆの液位が激しく上下することが防止され、汚水Ｆの増分を安定して排出管路部４０の上開口４１から排出させることができる。
【００４２】
更に、この際、容器２０で分離しきれないで洗浄液Ｌに混じったわずかな汚水Ｆは、洗浄液貯留槽３５の洗浄液層の上に溜まっていく。
使用者が立ち去って検知センサ７１が使用者の存在を検知しなくなると（１−５，１−６Ｎ）、所定時間経過後（１−７Ｙ）に、ポンプ６０を停止させる（１−８）。一方、所定時間経過前においては、検知センサ７１を確認し（１−９）、便器１０の使用者があればそのままポンプ６０をＯＮのままにする（１−１０Ｙ，１−４）。
ポンプ６０が停止して、洗浄液Ｌが流れなくなると、図６（ａ）に示すように、再び、容器２０内の汚水Ｆの液面は排出管路部４０の上開口４１付近まで戻る。
この際、循環した洗浄液Ｌが洗浄液貯留槽３５に再び溜まっていくと、洗浄液貯留槽３５においては、洗浄液Ｌの液面が中開口４８付近に位置する。この際、Ｕ字管３０ａから流入した洗浄液Ｌに混入したわずかな汚水Ｆは洗浄液貯留槽３５に溜まった洗浄液Ｌ上に浮上してくるが、この浮上した汚水Ｆは排出管路部４０の中開口４８から排出されていく。そのため、汚水Ｆが洗浄液Ｌにわずかに混入して洗浄液貯留槽３５に流入しても、洗浄液貯留槽３５においても汚水Ｆと洗浄液Ｌの分離を行なうことができるので、容器２０での分離とあいまって２重に汚水Ｆを排出させることになり、洗浄液Ｌへの汚水Ｆの混入を確実に防ぐことができる。
【００４３】
この後、次の使用者が来るまで待機する（１−２，１−３Ｎ）。
待機状態においては、遮断液層が汚水層上にあるので、汚水Ｆの臭気がこの遮断液層に止められ、そのため、確実に臭気止が行なわれ、便器１０の周囲に排出口１１から臭気が漏れ出して周囲の環境を汚染することを防ぐことができる。
このようにして、洗浄液Ｌによる洗浄が行なわれる。この洗浄においては、洗浄液Ｌは、僅かには汚水Ｆに混ざって消費されるが、消費分については適宜補充すればよい。補充の際には、便器１０から洗浄液Ｌを入れればよい。この場合、洗浄液Ｌの消費量は極めて少ないので、洗浄液Ｌの補充頻度は、従来に比較して大幅に低減し、管理効率が向上させられる。
また、従来のように切替弁を逐一作動させることもなく、洗浄液Ｌを逐一補充する特別の機構もなくてもよいので、構造が簡単になり、汎用性が向上させられる。
【００４４】
次に、この小便器装置Ｓの掃除について説明する。掃除は、洗浄液Ｌが劣化した際に洗浄液Ｌを取り替えたり、便器１０や容器２０内に臭気の発生源でもある尿結石が生じないように定期的に掃除を行なう。
便器１０を洗浄する際は、蓋体４６を外すとともに排出口１１を適宜閉塞して洗剤等で容器２０内を洗って掃除する。洗剤は、直接排出管路部４０に流されるので、洗浄液Ｌに影響しない。
【００４５】
また、容器２０を掃除する際には、便器１０の底部及びメッシュ１２を取り外すとともに、上排出パイプ４３を容器２０内から取り出して、容器２０内の遮断液５２及び汚水Ｆを排出管路部４０に流す。次に、排出ドレン２５のプラグ２６の孔２６ａにフックを引っかけて、このプラグ２６を取り外し、容器２０内に残った汚水Ｆ及び洗浄液Ｌを洗浄液貯留槽３５側に流す。
この際、洗浄液貯留槽３５側においては、洗浄液Ｌは洗浄液貯留槽３５の洗浄液層に混じる一方、汚水Ｆはこの洗浄液Ｌ上に浮上し中開口４８から排出される。
そして、容器２０及び洗浄液貯留槽３５を掃除する。
また、この際、使用する水やこの水に溶けた洗剤が洗浄液貯留槽３５に流入するが、洗浄液貯留槽３５に流入した水や水に溶けた洗剤は、水や洗剤は洗浄液Ｌよりも比重が軽いので、中開口４８から排出される。そのため、容易に掃除を行なうことができる。
その後、プラグ２６，上排出パイプ４３，メッシュ１２，便器１０の底面及び蓋体４６を元の状態に戻す。
【００４６】
これにより、容器２０内の汚水Ｆ及び洗浄液Ｌを汲み出したりしなくてもよくなり、容易に容器２０内の掃除を行なうことができる。また、この際、洗浄液貯留槽３５内の洗浄液Ｌは、ほとんど流されないので、洗浄液Ｌの節約を図ることができる。
再びこの小便器装置Ｓを使用する際には、上述のように、便器１０の排出口１１から容器２０内に洗浄液Ｌ，汚水Ｆとしての水及び遮断液５２を流入させて待機する。
【００４７】
図８乃至図１０には、本発明の別の実施の形態に係る小便器装置Ｓの要部を示している。この小便器装置Ｓは、上記の実施の形態のものと略同様の構成を有しているが、上記の実施の形態とは洗浄液排出路３０が異なっている。
詳しくは、容器２０の底面２０ａは、容器２０の側面下縁と所定間隔離間して位置させられている。この容器２０の底面２０ａは、排出管路部４０に一体に設けられるとともに、容器２０の周方向外側に延設されている。また、この底面２０ａの外周縁部には、この底面２０ａから上方に向けて立設されるとともに容器２０の外側面と所定間隔離間する立設部３３が設けられている。この立設部３３の内側面と容器２０の外側面との間には、底面２０ａを立設部３３を介して容器２０に保持するため架設部材３４が架設されている。
この架設部材３４は、４５°間隔に複数設けられている。
【００４８】
そして、洗浄液排出路３０は、この容器２０の底面２０ａに設けられる立設部３３の内側面及び容器２０の外側面により形成される隙間により構成されている。
洗浄液排出路３０は、容器２０の側面下縁と底面２０ａとの間に容器２０の円周に沿って３６０°に形成される隙間からなる一端開口３１と、容器２０の立設部３３の上端と容器２０の外側面との間に架設部材３４に仕切られて容器２０の円周に沿って４５°の等角度間隔に形成される隙間からなる他端開口３２とを有している。Ｕ字管３０ａを設けた場合と比較して、構造が簡単になる。これ以外は、上記実施の形態と略同様の構成となっている。
【００４９】
このように構成される小便器装置Ｓの使用に際しては、上記実施の形態と同様に、まず、予め、洗浄液Ｌ及び汚水Ｆとしての水を注いで容器２０の内部に洗浄液層と汚水層とを形成しておく。この小便器装置Ｓにあっては、常時は、容器２０内に、トラップ５０の外側に形成される遮断液層と、トラップ５０の外側において遮断液層の下側であってトラップ５０の内側の液面が上開口４１に位置する汚水層と、汚水層の下側の洗浄液層とが形成されている。また、洗浄液貯留槽３５内においては、中開口４８付近に洗浄液貯留槽３５の液面が位置させられている。
【００５０】
この小便器装置Ｓが作動して洗浄液Ｌが流されて容器２０内に入ると、洗浄液Ｌは汚水Ｆと分離して沈下する。次に、この状態で、汚水Ｆが流されると、容器２０内で汚水Ｆは洗浄液Ｌと分離して洗浄液層の上に浮上する一方、上記と同様に洗浄液Ｌは汚水Ｆと分離して容器２０の底部に沈下していく。そして、汚水Ｆは、汚水Ｆの液位の上昇とともに上開口４１から排出管路部４０に流されていく。また、容器２０の底部に溜まった洗浄液Ｌは、洗浄液排出路３０の一端開口３１から流入して他端開口３２から流出し、立設部３３の外側を通って洗浄液貯留槽３５に流入する。
これ以外の作用効果は、上記のものと同様である。
【００５１】
図１１には、本発明の更にまた別の実施の形態に係る小便器装置Ｓを示している。この小便器装置Ｓは、上記のものと異なり、便器１０を複数有し、各便器１０の排出口に排水管１３を介して接続される上記各実施の形態と同様の容器２０と、ポンプ６０と、送給部６５とを備えたものである。
送給部６５は、洗浄液タンク６７と、この洗浄液タンク６７内から各便器１０の上部に接続される送給管６６と、この送給管６６上に設けられ、送給管６６を開閉するバルブ６８とを備えている。
【００５２】
そして、容器２０で分離された洗浄液Ｌは、ポンプ６０により洗浄液タンク６７に汲み揚げられている。
この便器１０からの汚水Ｆ及び洗浄液Ｌは、排水管１３を介して容器２０の中に流れ込む。そして、上記のものと同様に、汚水Ｆと洗浄液Ｌとに分離され、分離された汚水Ｆは下水に流される一方、分離された洗浄液Ｌはポンプ６０により汲み揚げられ洗浄液タンク６７に溜められる。
従って、これによれば、一つの装置で複数の便器１０の洗浄をまかなうことができるので、効率がよい。
【図面の簡単な説明】
【００５３】
【図１】本発明の実施の形態に係る小便器装置を示す図である。
【図２】本発明の実施の形態に係る小便器装置の要部を示す断面図である。
【図３】本発明の実施の形態に係る小便器装置の図２中Ａ−Ａの断面を示す図である。
【図４】本発明の実施の形態に係る小便器装置の図２中Ｂ−Ｂの断面を示す図である。
【図５】本発明の実施の形態に係る小便器装置の容器及び洗浄液貯留槽において、初期の洗浄液の充填工程を示す断面図である。
【図６】本発明の実施の形態に係る小便器装置の容器及び洗浄液貯留槽において、使用時の状態を示す断面図である。
【図７】本発明の実施の形態に係るフローチャートを示す図である。
【図８】本発明の別の実施の形態に係る小便器装置の要部を示す断面図である。
【図９】本発明の別の実施の形態に係る小便器装置の図８中Ａ−Ａの断面を示す図である。
【図１０】本発明の別の実施の形態に係る小便器装置の図８中Ｂ−Ｂの断面を示す図である。
【図１１】本発明の更に別の実施の形態に係る小便器装置を示す図である。
【図１２】従来の小便器装置の一例を示す図である。
【符号の説明】
【００５４】
Ｓ  小便器装置
Ｆ  汚水
Ｌ  洗浄液
Ｘ１，Ｘ２，Ｘ３  軸線
１０  便器
１１  排出口
１２  メッシュ
１３  排水管
２０  容器
２０ａ  容器の底面
２１  入口
２２  大径部
２３  小径部
２４  突出管
２５  排出ドレン
２６  プラグ
２６ａ  孔
２７  段部
２８  フランジ
２９  嵌合部
３０  洗浄液排出路
３０ａ  Ｕ字管
３１  一端開口
３２  他端開口
３３  立設部
３４  架設部材
３５  洗浄液貯留槽
３６  洗浄液貯留槽の開口
３７  フランジ
４０  排出管路部
４１  上開口
４２  下開口
４３  上排出パイプ
４４  下排出パイプ
４５  上端開口
４６  蓋体
４７  Ｏ−リング
４８  中開口
４９  下端開口
５０  トラップ
５１  連通路
５２  遮断液
６０  ポンプ
６１  回収管
６５  送給部
６６  送給管
６７  洗浄液タンク
６８  バルブ
７０  制御手段
７１  検知センサ
【図１】
2005188162.tif 000003
【図２】
2005188162.tif 000004
【図３】
2005188162.tif 000005
【図４】
2005188162.tif 000006
【図５】
2005188162.tif 000007
【図６】
2005188162.tif 000008
【図７】
2005188162.tif 000009
【図８】
2005188162.tif 000010
【図９】
2005188162.tif 000011
【図１０】
2005188162.tif 000012
【図１１】
2005188162.tif 000013
【図１２】
2005188162.tif 000014